(57)【要約】【課題】大型化することなく、動作状態を表示する発光表示手段の視認性を確保する。【解決手段】観察部２と、使用者が前記観察部により像を覗いている状態で操作可能な位置に配置される操作部材３と、動作の状態を認識させるための表示を行うものであり、使用者が前記観察部により像を覗いている状態で表示状態を前記観察部外にて認識可能な位置に配置される発光表示手段とを有する光学機器であって、前記操作部材は、内部に前記発光表示手段の収納スペースを有するとともに、透光性材料より成り、さらに、前記発光表示手段の光線を前記発光表示手段がもつ配光特性よりも拡散させる光線変更面３ｂを有する。【選択図】図１
2005221540.tif 000002
【特許請求の範囲】
【請求項１】
観察部と、
使用者が前記観察部により像を覗いている状態で操作可能な位置に配置される操作部材と、
動作の状態を認識させるための表示を行うものであり、使用者が前記観察部により像を覗いている状態で表示状態を前記観察部外にて認識可能な位置に配置される発光表示手段と、を有する光学機器であって、
前記操作部材は、内部に前記発光表示手段の収納スペースを有するとともに、透光性材料より成り、さらに、前記発光表示手段の光線を前記発光表示手段がもつ配光特性よりも拡散させる光線変更面を有することを特徴とする光学機器。
【請求項２】
前記発光表示手段は、回路基板に半田付けされるリード部を有する発光ダイオードであることを特徴とする請求項１に記載の光学機器。
【請求項３】
ファインダー像を観察するための接眼部と、
前記接眼部の内部に配置される接眼レンズを光軸方向に移動させてファインダー視度調整を行うものであり、撮影者が前記接眼部を覗いた状態で操作可能な位置に配置されるファインダー視度調整機構の操作部材と、
カメラの動作の状態を認識させるための表示を行うものであり、撮影者が前記接眼部を覗いた状態で表示状態を前記接眼部外にて認識可能な位置に配置される発光表示手段と、を有するカメラであって、
前記操作部材は、内部に前記発光表示手段の収納スペースを有するとともに、透光性材料より成り、さらに、前記発光表示手段の光線を前記発光表示手段がもつ配光特性よりも拡散させる光線変更面を有することを特徴とするカメラ。
【請求項４】
前記発光表示手段は、回路基板に半田付けされるリード部を有する発光ダイオードであることを特徴とする請求項３に記載のカメラ。
【発明の詳細な説明】
【技術分野】
【０００１】
本発明は、観察部と操作部材と動作状態を認識させるための発光表示手段とを有する光学機器及びカメラに関するものである。
【背景技術】
【０００２】
一般に、カメラに装備される、被写体を観察するためのファインダーには、撮影者に被写体を観察しながら撮影準備完了や警告などを認識させるために、その旨を表示する発光表示器が設けられている（特許文献１）。
【０００３】
図１２は、カメラをファインダーの接眼レンズ側から見た背面図である。同図において、２０は接眼レンズ、１９は発光表示手段であるところの発光ダイオード（以下ＬＥＤ）である。図１２に示すように、ＬＥＤ１９は接眼レンズ２０の近傍に配置されている。このように接眼レンズ２０の近傍に配置することで、撮影者はファインダー像を観察しながらでも、ＬＥＤ１９の点灯状態を確認でき、撮影が可能かどうか等の判断を行うことができる。ＬＥＤ１９が接眼レンズ２０から離れた位置に配置されると、その距離によってはファインダー像を見ながら点灯状態を確認することが困難、あるいは視認性が悪くなってしまうことから、図１２に示すように、ＬＥＤ１９は適度に接眼レンズ２０の近くに配置する必要がある。
【０００４】
図１３は、ＬＥＤ１９、接眼レンズ２０及びファインダー光学系の配置をカメラ上面から示した図である。図示のように接眼レンズ２０の右側にファインダー光学系部品２１が配置されているため、ＬＥＤ１９は接眼レンズ２０の左側近傍に配置されている。
【０００５】
ＬＥＤ１９には、一般に基板上に直接半田付けされる面実装タイプと、回路基板にリード部が半田付けされるリードタイプとがある。面実装タイプは、リードタイプに比べ非常に小型というメリットがあり、小型の携帯機器に多く利用されている。これに対しリードタイプは、面実装タイプに比べて大型であるが、コストが低いというメリットがある。特にカメラの接眼レンズ近傍の発光表示手段として使用する場合、図１４に示すように、リード部１９ａをカメラ制御回路基板２２に直接半田付けし、また発光部頂点１９ｂをカメラ外装部品２３の穴２３ａから直接外部に露出させることが出来るため、部品点数を削減することができ、コストを低く抑えることができる。
【０００６】
一方、撮影者の目の視度を調整するための視度調整機構を備えたカメラも種々提案されている（特許文献２）。通常これらの視度調整機構は撮影者がダイヤル、あるいはレバーなどの操作部材を操作することで、接眼レンズを光軸方向へ移動させて視度の調整を行う構成になっている。
【０００７】
図８は視度調整機構を備えたカメラを接眼レンズ側から見た背面図であり、同図において、１３は視度調整を行うための操作部材である視度調整ダイヤルである。撮影者は接眼部１４によりファインダー像を観察しながら、像が明瞭に見える位置へ視度調整ダイヤル１３を回動させ、視度調整を行う。このカメラの場合、接眼部１４はカメラの中心より左側に配置され、視度調整ダイヤル１３はさらにその左側に配置されている。これは視度調整ダイヤル１３の操作性を考えたとき、接眼部１４の右側よりも左側の方が左手での操作を行いやすいためである。１４ａは発光表示窓であり、内部にＬＥＤを備えている。
【０００８】
図９、図１０は、図８に示した視度調整ダイヤル１３と接眼部１４の後方に配置される接眼レンズの連動機構、ファインダー光学系、ＬＥＤの配置をカメラ上面から示した構成図である。これらの図において、１３ａは視度調整ダイヤル１３に設けられたカム、１５ａは接眼レンズ１５に設けられたカムフォロワである。接眼レンズ１５は図示せぬ弾性部材によりカメラ後方へ付勢されており、カムフォロワ１５ａがカム１３ａへ常に当接している。この状態で視度調整ダイヤル１３を回動すると、カム１３ａとカムフォロワ１５ａの当接により接眼レンズ１５は光軸方向へ移動する。視度調整ダイヤル１３は撮影者によりファインダー像を観察しながら操作されるため、接眼部１４に近すぎると操作がしづらくなる。そのため、操作しやすい範囲で適度に接眼部１４より離れた位置に配置することが望ましい。しかし、視度調整ダイヤル１３を接眼部１４から極端に離れた位置へ配置することは、連動機構が大型化し、カメラの小型化の観点からは望ましくない。よって、視度調整ダイヤル１３と接眼部１４の距離は、操作性とカメラの小型化を両立した適度な位置に配置する必要がある。１６は面実装タイプのＬＥＤであり、フレキシブルプリント基板１７に実装されている。
【０００９】
図１０に示すように、面実装タイプのＬＥＤ１６は非常に小型であるため、ファインダー光学系１８の後方の狭い空間で、かつ視認性の良い接眼レンズ１５の近傍に配置することができている。
【００１０】
図１１は、ＬＥＤ１６のカメラへの取り付け状態を示した構成図である。図１１に示すように、ＬＥＤ１６はフレキシブルプリント基板１７に実装され、該フレキシブルプリント基板１７の他端はカメラ上部に配置されたカメラ制御回路基板２２に接続されている。発光表示窓１４ａはＬＥＤ１６およびフレキシブルプリント基板１７が直接カメラの外部へ露出しないよう保護するためのもので、接眼部１４と一体的に透光性材料で形成されており、撮影者はこの発光表示窓１４ａを通してＬＥＤ１６の点灯状態を確認することになる。
【特許文献１】特開２０００−１４７６２８号公報
【特許文献２】特開２００１−１７４８７７号公報
【発明の開示】
【発明が解決しようとする課題】
【００１１】
上述したように、一般に面実装タイプのＬＥＤ１６はリードタイプのものよりコストが高い。また、直接カメラ制御回路基板２２への実装は困難であるため、図１１に示すように、一旦フレキシブルプリント基板１７上に実装し、該フレキシブルプリント基板１７の一部をカメラ制御回路基板２２に接続する必要がある。そのため、フレキシブルプリント基板１７及びその組立工数の増加に伴い、コストアップしてしまっていた。
【００１２】
また、図９、図１０に示す視度調整機構を備えたカメラでは、接眼部１４の左側には視度調整ダイヤル１３及び接眼レンズ１５の連動機構が配置されているため、大型ではあるが低コストとなるリードタイプのＬＥＤを視認性が確保される位置に配置しようとすると、図１３と同様に接眼部１４の左隣にＬＥＤ、さらにその左隣に視度調整ダイヤル１３を配置する必要がある。その場合、カメラの横方向サイズを変えずに視度調整ダイヤル１３を収納することは困難であり、カメラ横方向のサイズを大きくせざるを得なくなってしまう。また、このように横方向のサイズを大きくした場合、視度調整機構の連動機構が接眼レンズ１５と離れた位置に配置されるため、接眼レンズ１５のスムーズな移動に支障をきたすことも考えられる。一方、接眼部１４の右側はファインダー光学系の一部であるプリズム１８が配置されているため、大型であるリードタイプのＬＥＤをこの位置に視認性よく配置することは困難である。
【００１３】
したがって、視度調整機構を備えたカメラにおいて、視認性を確保できる位置にリードタイプのＬＥＤを配置することは、カメラの大型化及び接眼レンズ１５のスムーズな移動に支障をきたすなどの点から困難であり、従来においては小型の面実装タイプのＬＥＤを視認性が良い位置へ配置せざるを得ず、コストアップを避けられないものであった。
【００１４】
（発明の目的）
本発明の目的は、上記の点に鑑み、大型化することなく、動作状態を表示する発光表示手段の視認性を確保し、また低コスト化を達成することのできる光学機器及びカメラを提供しようとするものである。
【課題を解決するための手段】
【００１５】
上記目的を達成するために、請求項１に記載の発明は、使用者が前記観察部により像を覗いている状態で操作可能な位置に配置される操作部材と、動作の状態を認識させるための表示を行うものであり、使用者が前記観察部により像を覗いている状態で表示状態を前記観察部外にて認識可能な位置に配置される発光表示手段と、を有する光学機器であって、前記操作部材は、内部に前記発光表示手段の収納スペースを有するとともに、透光性材料より成り、さらに、前記発光表示手段の光線を前記発光表示手段がもつ配光特性よりも拡散させる光線変更面を有する光学機器とするものである。
【００１６】
また、請求項３に記載の発明は、ファインダー像を観察するための接眼部と、前記接眼部の内部に配置される接眼レンズを光軸方向に移動させてファインダー視度調整を行うものであり、撮影者が前記接眼部を覗いた状態で操作可能な位置に配置されるファインダー視度調整機構の操作部材と、カメラの動作の状態を認識させるための表示を行うものであり、撮影者が前記接眼部を覗いた状態で表示状態を前記接眼部外にて認識可能な位置に配置される発光表示手段と、を有するカメラであって、前記操作部材が、内部に前記発光表示手段の収納スペースを有するとともに、透光性材料より成り、さらに、前記発光表示手段の光線を前記発光表示手段がもつ配光特性よりも拡散させる光線変更面を有するカメラとするものである。
【００１７】
また、請求項２または４に記載の発明は、発光表示手段を、回路基板に半田付けされるリード部を有する発光ダイオードとし、部品点数、組立工数の削減を図っている。
【発明の効果】
【００１８】
本発明によれば、大型化することなく、動作状態を表示する発光表示手段の視認性を確保し、また低コスト化を実現することのできる光学機器又はカメラを提供できるものである。
【発明を実施するための最良の形態】
【００１９】
本発明を実施するための最良の形態は、以下の実施例１及び実施例２に示す通りである。
【実施例１】
【００２０】
図１及び図２は、本発明の実施例１に係わるカメラの視度調整機構とＬＥＤ（発光ダイオード）の配置関係を示した図であり、図１はカメラ上方から見た要部断面図、図２はカメラ後方から見た背面図である。
【００２１】
これらの図において、２は接眼窓、３は視度調整を行うための視度調整ダイヤルである。６は点灯状態によってカメラの撮影準備完了または警告などの撮影状態を撮影者に接眼窓外にて認識させるための発光表示手段であるところのＬＥＤであり、面実装タイプよりも大型であるが、低コストのリードタイプが用いられている。１１はＬＥＤ６より発せられた光線、１２は接眼窓２を覗く撮影者の目である。
【００２２】
視度調整ダイヤル３は透光性の材料で形成されており、内部にＬＥＤ６を収納可能なスペースを有しており、ここにＬＥＤ６が配置されている。よって、撮影者は、カメラの撮影準備完了または警告などの撮影状態を、視度調整ダイヤル３を透して、ＬＥＤ６の点灯状態により確認することが可能となる。
【００２３】
図３は、図１及び図２に示したカメラを上方から見たときの主要部品の配置図である。同図において、４は接眼レンズであり、５はファインダー光路を曲げるためのプリズムである。視度調整ダイヤル３とＬＥＤ６は図示のように接眼レンズ４の左側に配置され、かつ撮影者がファインダー像を観察しながら操作しやすいように適度に接眼窓２と離れた位置に配置されている。
【００２４】
図４は、視度調整機構の拡大図であり、この図を用いて視度調整の仕方について説明する。図４に示すように、視度調整ダイヤル３にはカム溝３ａが設けられており、そのカム溝３ａに接眼レンズ４に設けられたカムフォロワ４ａが係合している。よって、撮影者がファインダー像を確認しながら視度調整ダイヤル３を左手で回動させることで、接眼レンズ４がカム溝３ａとカムフォロワ４ａの係合によりファインダー光軸方向へ移動し、撮影者の目に合うよう視度調整を行うことができる。
【００２５】
図５は、視度調整ダイヤル３とＬＥＤ６のカメラ本体７に保持された状態を示すカメラ横方向から見た断面図である。図５に示すように、ＬＥＤ６のリード部６ａはその略中央で９０度カメラ上方向へ曲げられ、その先端はカメラ上部に取り付けられたカメラ制御回路基板８に直接半田付けされている。９はその半田付け部である。このように、リードタイプのＬＥＤ６を使用することで、面実装タイプのＬＥＤを使用するときに必要であったフレキシブルプリント基板を必要とせず、部品点数、組立工数の削減が可能となる。
【００２６】
次に、図７を用いて、視度調整ダイヤル３０の内面（光線射出面）を、ＬＥＤ６の光線の照射方向を変更する光線変更面にしていない場合について説明する。図７は本発明外の参考例を示すものである。尚、これらの図においては、中心線から半分の光線については図示を省略している。
【００２７】
図７に示すように、視度調整ダイヤル３０の内面は略円筒状を呈し、その光線射出面３０ａは光軸に対し略直交した面となっている。ＬＥＤ６から発せられる光線は通常の場合、ＬＥＤ６の軸方向６ｂに対し４５度以下の範囲が最も輝度が高い範囲であり、４５度より大きい角度では、輝度が極端に低下する配光特性を持っている。したがって、図７に示すような円筒面の内部でＬＥＤ６が発光した場合、視度調整ダイヤル３０を透過した光線はほぼＬＥＤ６の配光特性のまま射出されることになる。一方、視度調整ダイヤル３０は視度調整する際の操作がしやすいように適度に接眼窓２より離れた位置に配置されているため、撮影者の目１２の方向へ向かう光線は僅かであり、点灯状態の視認性が悪いものとなってしまう。そのため、このような構造においてはＬＥＤ６と視度調整ダイヤル３０をさらに接眼窓２の近くへ移動させる必要がある。しかしながら、視度調整ダイヤル３０を接眼窓２へ近づけると視度調整の操作性が悪くなってしまう。
【００２８】
次に、視度調整ダイヤル３０の光線射出面を、ＬＥＤ６の光線の照射方向を変更する光線変更面とした実施例１の場合について、図１及び図５を用いて説明する。
【００２９】
図１及び図５に示すように、視度調整ダイヤル３の光線射出面を、ＬＥＤ６の光軸方向６ｂに対して所定角度傾きを持った斜面からなる略円錐面と曲面からなる、光線変更面３ｂとした構造にしている。このような構造にすることで、ＬＥＤ６から発せられる光線１１は視度調整ダイヤル３の光線変更面３ｂに入射後、外観面３ｃから射出される際に拡散することになる。その結果、光線１１は撮影者の目１２の方向へ十分に照射され、撮影者はＬＥＤ６の点灯状態を十分視認することができる。つまり、視度調整ダイヤル３に光線変更面３ｂを設けることで、光線１１の照射方向をＬＥＤ６の光軸方向６ｂに対し４５度以下の範囲よりも広い方向へと変更でき（光線１１を接眼レンズの側へ拡散することができ）、視度調整の操作性を良好にする為にＬＥＤ６と接眼窓２とを離した場所に配置しても、ＬＥＤ６の視認性を良好なものにすることができる。また、ＬＥＤ６と接眼窓２とを離したとしても、視度調整ダイヤル３とＬＥＤ６それぞれをカメラの横方向に並置する構成ではなく同一位置に配置するので、従来と同様のカメラの横サイズ内にこれらを配置でき、カメラを大型化することもない。
【実施例２】
【００３０】
次に、図６を用いて本発明の実施例２に係わる光線変更面について説明する。図１と同じ機能を有する部分は同一符号を付し、その説明は省略する。また、図６においては、中心線から半分の光線については図示を省略している。
【００３１】
図６に示す視度調整ダイヤル３１の光線射出面は、鋸歯状の凹凸面より成る光線変更面３１ｂとなっている。この凹凸面より成る光線変更面３１ｂの場合も、上記実施例１で説明した光線変更面３ｂと同様に、ＬＥＤ６から発せられる光線１１は視度調整ダイヤル３１の凹凸面より成る光線変更面３１ｂに入射後、外観面３１ａから射出される際に拡散することになる。その結果、光線１１は撮影者の目１２の方向へ十分に照射され、撮影者はＬＥＤ６の点灯状態を十分視認することができる。よって、上記実施例１と同様に、視度調整ダイヤル３１に光線変更面３１ｂを設けることで、光線１１の照射方向をＬＥＤ６の軸方向６ａに対し４５度以下の範囲よりも広い方向へと変更でき（光線１１を接眼レンズの側へ拡散することができ）、視度調整の操作性を良好にする為にＬＥＤ６と接眼窓２とを離した場所に配置しても、ＬＥＤ６の視認性を良好なものにすることができる。さらには、視度調整ダイヤル３とＬＥＤ６それぞれをカメラの横方向に並置する構成ではなく同一位置に配置するので、従来と同様のカメラの横サイズ内にこれらを配置でき、カメラを大型化することもない。
【００３２】
以上の実施例１及び２によれば、ファインダー視度調整に用いられる視度調整ダイヤル３又は３１と、撮影準備完了表示や警告等の撮影状態表示を行う発光表示手段であるＬＥＤ６を有するカメラにおいて、視度調整ダイヤル３又は３１を透光性材料により構成し、ＬＥＤ６を視度調整ダイヤル３の内部に配置するとともに、視度調整ダイヤル３又は３１に、ＬＥＤ６からの光線１１の照射方向を該ＬＥＤ６の光軸方向６ｂに対し４５度以下の範囲よりも広い方向へと変更できる（ＬＥＤ６のもつ配光特性よりも光線を１１を接眼レンズ側へ拡散する）光線変更面を設けている。よって、カメラを大型化することなく、撮影状態を表示するＬＥＤ６の視認性を良好にすることができる。
【００３３】
また、発光表示手段としてリードタイプのＬＥＤ６を使用しているので、面実装タイプのＬＥＤを使用するときに必要であったフレキシブルプリント基板を必要とせず、部品点数、組立工数の削減が可能となり、低コストなものとなる。
【００３４】
（変形例）
上記各実施例では、操作部材として視度調整ダイヤルを例にしているが、これに限定されるものではなく、観察部を覗いた状態で操作される操作部材であれば、同様の効果を得ることができるものである。また、本発明はカメラ以外の光学機器に対しても適用できるものである。
【図面の簡単な説明】
【００３５】
【図１】本発明の実施例１に係わるカメラを上方から見た要部構成を示す断面図である。
【図２】本発明の実施例１に係わるカメラを後方から見た背面図である。
【図３】本発明の実施例１に係わるカメラを上方から見たときの主要部品の配置図である。
【図４】本発明の実施例１に係わるカメラを上方から見たときの視度調整機構図である。
【図５】本発明の実施例１に係わるカメラにおいて視度調整ダイヤルとＬＥＤのカメラ本体に保持された状態を示す断面図である。
【図６】本発明の実施例２に係わるカメラにおいて視度調整ダイヤルに光線変更面を具備した場合の光線の様子を示した図である。
【図７】本発明外の参考例に係わるカメラにおいて視度調整ダイヤルに光線変更面を具備しない場合の光線の様子を示した図である。
【図８】従来例の視度調整機構を備えたカメラを接眼レンズ側から見た構成図である。
【図９】従来例の視度調整ダイヤルと接眼レンズの連動機構、ＬＥＤの配置をカメラ上方から示した構成図である。
【図１０】従来例の視度調整ダイヤルと接眼レンズの連動機構、ファインダー光学系、ＬＥＤの配置をカメラ上面から示した構成図である。
【図１１】従来例のＬＥＤのカメラへの取り付け状態を示した構成図である。
【図１２】従来例のカメラをファインダーの接眼レンズ側から見た背面図である。
【図１３】従来例のＬＥＤと、ファインダー光学系の配置をカメラ上面から示した構成図である。
【図１４】従来例のＬＥＤのカメラへの取り付け状態を示した構成図である。
【符号の説明】
【００３６】
２      接眼窓
３      視度調整ダイヤル（操作部材）
３ａ    カム溝
３ｂ    光線変更面
４      接眼レンズ
４ａ    カムフォロワ
５      プリズム
６      ＬＥＤ
７      カメラ本体
８      カメラ制御回路基板
１１    光線
３１    視度調整ダイヤル（操作部材）
３１ｂ  凹凸面を成す光線変更面
【図１】
2005221540.tif 000003
【図２】
2005221540.tif 000004
【図３】
2005221540.tif 000005
【図４】
2005221540.tif 000006
【図５】
2005221540.tif 000007
【図６】
2005221540.tif 000008
【図７】
2005221540.tif 000009
【図８】
2005221540.tif 000010
【図９】
2005221540.tif 000011
【図１０】
2005221540.tif 000012
【図１１】
2005221540.tif 000013
【図１２】
2005221540.tif 000014
【図１３】
2005221540.tif 000015
【図１４】
2005221540.tif 000016